(57)【特許請求の範囲】
【請求項１】
空気清浄動作を制御するために自機が設置された空間の環境をセンシングするセンサ部を有する空気清浄機と、
前記センサ部がセンシングした結果から上記空間内の人の動きの有無を判定する判定部と、
前記判定部による判定結果に応じた情報を外部装置に通知する通知部と、を備え、
前記判定部は、前記センサ部がセンシングした結果に基づき制御される空気清浄動作中に、前記空間内の人の動きの有無を判定することを特徴とする通知システム。
【請求項２】
前記空気清浄機は、第１モードと第２モードとを有し、
前記空気清浄機が前記第１モードに設定されていると、前記通知部は、前記判定部が人の動きが無いと判定した場合に、前記通知を行い、
前記空気清浄機が前記第２モードに設定されていると、前記通知部は、前記判定部が人の動きが有ると判定した場合に、前記通知を行うことを特徴とする請求項１に記載の通知システム。
【請求項３】
前記空気清浄機は、前記判定部による判定結果に応じて、あるいは、前記通知に対する前記外部装置からの指示に応じて、所定音声を出力する音声出力部を備えたことを特徴とする請求項１または２に記載の通知システム。
【請求項４】
前記空気清浄機は、前記所定音声に対する応答を受け付ける応答受付部を備え、
前記通知部は、前記応答受付部が受け付けた前記応答に応じた情報を前記外部装置に通知することを特徴とする請求項３に記載の通知システム。
【請求項５】
請求項１から４のいずれか１項に記載の通知システムに備えられたことを特徴とする空気清浄機。
【発明の詳細な説明】
【技術分野】
【０００１】
本発明は、空気清浄機を備えた通知システム、及び空気清浄機に関する。
【背景技術】
【０００２】
近年、家電（家庭用電子器）を通信ネットワークに接続させ、宅外からでもタブレット端末やスマートフォン等の通信端末装置にて遠隔操作や家電の動作状況を確認できる技術が普及してきている。例えば、特許文献１には、自宅の扉や窓の電気錠の動作状況や家電の動作状況を通信ネットワーク経由にてユーザの携帯端末に通知するセキュリティ管理装置が開示されている。さらに、この装置では、動作状況の通知先をセキュリティ会社にすることができる。
【先行技術文献】
【特許文献】
【０００３】
【特許文献１】特開２００５−０３１９８４号公報（２００５年２月３日公開）
【発明の概要】
【発明が解決しようとする課題】
【０００４】
ここで、引用文献１に開示のセキュリティ管理装置では、建物内の様子を監視あるいは見守るために、カメラを新たに取り付ける必要がある。しかし、カメラの導入には、プライバシー上の抵抗があるユーザもいる。また、カメラの費用が余計にかかってしまう。ここで、例えば、人物を見守るための見守りシステムとして、見守り対象による家電への操作を外部に通知するシステムもあるが、家電への操作を必要とするため、操作が面倒に感じる見守り対象もいる。
【０００５】
そこで、本発明は、上記課題に鑑みてなされ、ユーザを煩わせることなく、低コストにて、見守り又はセキュリティ管理を行うことが可能な通知システムを提供することを目的とする。
【課題を解決するための手段】
【０００６】
上記課題を解決するために、本発明者等は、鋭意検討し、空気清浄機に設けられたホコリセンサやニオイセンサといったセンサを有効活用できることを見出し、本願発明を完成させるに至った。なお、空気清浄機を人物の見守りのため又はセキュリティ管理（防犯）に利用するという発想はこれまでに無かった。
【０００７】
そこで、本発明の一態様に係る通知システムは、空気清浄動作を制御するために自機が設置された空間の環境をセンシングするセンサ部を有する空気清浄機と、前記センサ部がセンシングした結果から上記空間内の人の動きの有無を判定する判定部と、前記判定部による判定結果に応じた情報を外部装置に通知する通知部と、を備えたことを特徴としている。
【発明の効果】
【０００８】
上記構成によると、センサ部は、空気清浄動作をするために周囲の環境をセンシングするものであるため、空気清浄機に元から備えられている。また、センサ部によるセンシング結果は、人の動きにより変化するものであるが、ユーザが空気清浄機に対して行う操作とは関係のないものである。つまり、空気清浄機のセンサ部により間接的に人の動きをセンシングできる。また、上記構成によると、人の動きの有無の判定結果に応じた情報を外部装置に通知するため、外部装置のユーザは直ちにその情報を確認することができる。
【０００９】
よって、上記構成によると、ユーザを煩わせることなく、低コストにて、見守り又はセキュリティ管理を行うことができる。
【図面の簡単な説明】
【００１０】
【図１】本発明に係る実施形態１の通知システムの構成を示すブロック図である。
【図２】上記通知システムを含む通信システムを示す図である。
【図３】上記通知システムから通知を受ける通信端末装置の構成を示すブロック図である。
【図４】本発明に係る実施形態２の通知システムの構成を示すブロック図である。
【図５】各センサによる判定基準と判定結果とを示す図である。
【発明を実施するための形態】
【００１１】
〔実施形態１〕
以下、本発明の一実施形態について図１〜３に基づいて説明すれば以下のとおりである。
【００１２】
（通信システムの構成）
図２は、通信ネットワーク６０を介して通信する通信システム２００の概略構成を示す図である。通信システム２００は、空気清浄機１０及び管理サーバ装置（管理装置）２０を含む通知システム１００と、通知システム１００から後述する通知を受ける通信端末装置３０（外部装置）と、を含んで構成されている。さらに、通信ネットワーク６０には、セキュリティ会社のサーバ装置（外部装置）７０が接続されている。図２では、省略のため、空気清浄機１０、管理サーバ装置２０、通信端末装置３０、セキュリティ会社のサーバ装置７０は、それぞれ１つずつしか図示していないが、通信ネットワーク６０に接続する装置の数は限定されない。
【００１３】
（通知システムの構成）
図１は、本実施の形態の通知システム１００の概略構成を示すブロック図である。図１に示すように、通知システム１００は、空気清浄機１０と管理サーバ装置２０とを含んで構成される。図１では管理サーバ装置２０に接続した空気清浄機１０は１つしか示していないが、数は限定されない。通知システム１００では、通信ネットワーク６０を介して、空気清浄機１０と管理サーバ装置とが接続している。通知システム１００は、空気清浄機１０が設置された空間（ユーザ宅）の人の動きの有無に応じた情報を外部装置に通知するシステムである。
【００１４】
図２に示すように、空気清浄機１０が設置されるユーザ宅５０には、無線ＬＡＮ（Wireless Local Area Network）が整備されており、無線ＬＡＮの中継局４０は、広域通信を行う通信ネットワーク６０と接続されている。中継局４０は、例えばＷｉＦｉ（登録商標）ルータやＷｉＦｉアクセスポイントなどの通信機器である。通信ネットワーク６０としては、例えば、インターネットが利用できる。また、電話回線網、移動体通信網、ＣＡＴＶ（CAble TeleVision）通信網、衛星通信網などを利用することもできる。
【００１５】
（空気清浄機）
空気清浄機１０は、空気清浄動作を行う装置である。本実施形態では空気清浄機１０は加湿機能を有しているが、有していなくてもよい。本実施形態では、空気清浄機１０は図１に示すようにユーザ宅５０に設置されるが、設置場所は限定されず、オフィスや公共の場に設置されても構わない。
【００１６】
空気清浄機１０は、通信ネットワーク６０を介して管理サーバ装置２０から操作指示等を受信すると共に、空気清浄機１０の動作状況等を通信ネットワーク６０を介して管理サーバ装置２０に送信する。
【００１７】
なお、通信ネットワーク６０を介した通信を可能にするため家電アダプタを設け、この家電アダプタを空気清浄機１０に装着するようにしてもよい。このような家電アダプタを空気清浄機１０に装着させる構成であれば、共通（汎用）の家電アダプタを機種の異なる空気清浄機１０に適用させることができ、コストを抑えることができる。
【００１８】
空気清浄機１０は、図１に示すように、制御部１１、記憶部１２、動作部１３、センサ部１４、操作部（応答受付部）１５、通信部（通知部）１６、水タンク１７、フィルタ１８、及び音声出力部１９を備える。
【００１９】
制御部１１は、空気清浄機１０の各部における各種制御を行うブロックである。制御部１１は、例えば、ＣＰＵや専用プロセッサなどの演算処理部などにより構成されるコンピュータ装置から成る。制御部１１は、操作信号を解析し、記憶部１２に記憶されている各種情報及び各種制御を実施するためのプログラムを読み出して動作部１３に実行させることで、空気清浄機１０の各部の動作を統括的に制御する。
【００２０】
さらに、制御部１１は、モード設定部１１１及センサ情報取得部１１２としての機能を有する。モード設定部１１１は空気清浄機１０の動作モードを設定するブロックである。空気清浄機１０の動作モードは操作部１５又は空気清浄機１０のリモコン（図示せず）からユーザにより選択される。あるいは、通信端末装置３０から動作モードを選択できるように構成されていてもよい。モード設定部１１１は、空気清浄機１０が選択された動作モードになるように各部を制御する。動作モードとして、見守りモード（第１モード）とセキュリティモード（第２モード）とを有している。これらの詳細は後述する。なお、空気清浄機１は、動作モードとして、通常運転（空気清浄動作）モード、強運転モード、弱運転モード、加湿運転モード等を備えているが、これらは従来と同様であるため、説明を省略する。
【００２１】
見守りモードとは、空気清浄機１０が設置された空間（ユーザ宅５０）に居る見守り対象の人物の見守るためのモードである。セキュリティモードは、空気清浄機１０が設置された空間のユーザの不在時や就寝中に、不審者を検知するためのモードである。
【００２２】
なお、見守りモード及びセキュリティモードは、空気清浄機１０が空気清浄動作を実行している場合でもしていない場合でも関係なく、設定可能である。
【００２３】
センサ情報取得部１１２は、後述のセンサ部１４によるセンシング結果を取得し通信部１６を介して管理サーバ装置２０に送信するブロックである。送信のタイミングは、適宜あるいは、センサ部１４によるセンシング結果が一定レベルを超えた場合、又はセンサ部１４によるセンシング結果に変化があった場合等である。
【００２４】
記憶部１２は、ＲＡＭ（Random Access Memory）、ＲＯＭ（Read Only Memory）、ＨＤＤ（Hard Disk Drive）などを含み、空気清浄機１０にて用いられる各種データを記憶するブロックである。
【００２５】
動作部１３は、空気清浄機１０における空気清浄動作、加湿動作等の各種動作（機能）を実行するブロックである。
【００２６】
センサ部１４は、空気清浄機１０の設置されたユーザ宅５０内の環境をセンシングするブロックである。本実施形態では、センサ部１４は、ニオイセンサ、ホコリセンサ、照度センサ、温度センサ、湿度センサを有する。さらに、人感センサ、ＣＯ２センサを有していてもよい。空気清浄機１０は、ニオイの検知（センシング）レベルが一定以下になるように空気清浄動作をする。また、空気清浄機１０は、ホコリの検知レベルが一定以下になるように空気清浄動作をする。また、空気清浄機１０は、照度の検知レベルが一定以下の場合（暗い）は、弱運転で空気清浄動作をする。このように、ニオイセンサ、ホコリセンサ、照度センサがセンシングする環境は、空気清浄機１０が空気清浄動作を制御するのに必要なものである。なお、ニオイセンサは、ニオイだけでなくガスをセンシングするセンサであってもよい。また、ホコリセンサは、ホコリだけでなく、花粉やＰＭ２．５等の微粒子をセンシングするセンサであってもよい。
【００２７】
さらに、センサ部１４は、水タンク１７の貯水量をセンシングするセンサ、フィルタ１８の目詰まりをセンシングするセンサを有する。これら以外のセンサを有していてもよい。フィルタ１８の目詰まりは、風量や圧力の変化、フィルタ１８の光透過度などから検知できる。フィルタ１８の目詰まりのセンシングは、後述のフィルタ１８交換を促す通知に利用される。なお、フィルタ１８の使用時間をカウントして交換を促す通知に利用してもよい。
【００２８】
操作部１５は、ユーザからの操作を受け付けて制御部１１に伝達するブロックである。
【００２９】
通信部１６は、空気清浄機１０が通信ネットワーク６０に接続するためのブロックである。
【００３０】
水タンク１７は、空気清浄機１０が加湿動作を行うための水を貯蔵する容器である。フィルタ１８は、空気清浄機１０中の空気の流路に配置され、空気中の塵や粉塵を捉える。音声出力部１９は、スピーカなどの音声出力装置である。
【００３１】
（管理サーバ装置）
管理サーバ装置２０は、空気清浄機１０を管理するサーバである。管理サーバ装置２０は、１つであっても、複数のサーバから構成されていてもよい。管理サーバ装置２０は、図２に示すように、制御部２１、記憶部２２、及び通信部２３を備えている。制御部２１は、例えば、ＣＰＵや専用プロセッサなどの演算処理部などにより構成されるコンピュータ装置から成り、管理サーバ装置２０の各部の動作を制御するブロックである。また、制御部２１は、判定部２４としての機能とを有する。
【００３２】
判定部２４は、空気清浄機１のセンサ部１４によるセンシング結果から空気清浄機１０が設置されたユーザ宅５０内における人の動きの有無を判定するブロックである。センシング結果が一定レベル以上の場合やセンシング結果に変化が有る場合には、人の動きがあると判定する。センシング結果が一定レベルより下の場合やセンシング結果に変化が無い場合には、人の動きが無いと判定する。具体的に、どのようなセンシング結果を用いてどのように判定するかについては後述する。
【００３３】
記憶部２２は、管理サーバ装置２０で用いられる各種情報（データ）を記憶するブロックである。また、記憶部２２は、空気清浄機１０から受信した空気清浄機１０の動作状況を記憶している。また、空気清浄機１０と通信端末装置３０とを対応付けて（紐付けて）管理している。複数の空気清浄機１０と１つの通信端末装置３０とを対応付けて管理してもよいし、１つの空気清浄機１０と複数の通信端末装置３０とを対応付けて管理してもよいし、複数の空気清浄機１０と複数の通信端末装置３０とを対応付けて管理してもよい。
【００３４】
通信部２３は、通信ネットワーク６０を介して通信を行うブロックである。通信部２３は、通信ネットワーク６０を介して空気清浄機１０と通信を行う。また、通信端末装置３０と通信を行う。
【００３５】
通信部２３は、空気清浄機１から動作状況を受信する。動作状況にはどのモードに設定されているかの情報も含むものとする。また、通信部２３は、センサ部１４によるセンシング結果を受信する。また、通信部２３は、判定部２４による人の動きの有無の判定結果に応じた情報を通信端末装置３０に送信（通知）する。なお、管理サーバ装置２０が、ある通信端末装置３０に複数の空気清浄機１０を紐付けて管理している場合、空気清浄機１０の識別情報も合わせて送信する。
【００３６】
また、通信部２３は、判定部２４による人の動きの有無の判定結果に応じた情報を、ユーザ宅５０のユーザが契約しているセキュリティ会社のサーバ装置７０に通知を行ってもよい。この場合、セキュリティ会社のサービスマンがユーザ宅５０に出動する判断材料とすることができる。
【００３７】
通信部２３は、空気清浄機１０が見守りモードに設定されている場合には、判定部２４が人の動きの無いと判定した場合に、この判定結果に応じた情報の通知を行う。つまり、人の動きの無い場合には、見守り対象が倒れている可能性があるからである。空気清浄機１０が見守りモードに設定されている場合、判定部２４が人の動きが有ると判定した場合には、通知を行わなくてもよいが行ってもよい。通知を行うことで通信端末装置３０にて見守り対象の無事を確認できるからである。
【００３８】
また、通信部２３は、空気清浄機１０がセキュリティモードに設定されている場合には、判定部２４が人の動きが有ると判定した場合に、この判定結果に応じた情報の通知を行う。つまり、人の動きの有る場合には、ユーザ宅５０に不審者が侵入してきた可能性があるからである。空気清浄機１０がセキュリティモードに設定されている場合、人の動きが無いと判定した場合には通知を行わなくてもよい。
【００３９】
ここで、判定結果に応じた情報とは、空気清浄機１０がセキュリティモードに設定されている場合には、人の動きが有るという判定結果そのものであってもよいし、不審者がいる（可能性が有る）という情報や、注意を促す情報等であってもよい。また、空気清浄機１０が見守りモードに設定されている場合には、人の動きが無いという判定結果そのものであってもよいし、見守り対象が倒れている（可能性がある）という情報や、注意を促す情報等であってもよい。これらには限定されない。
【００４０】
（通信端末装置）
通信端末装置３０は、通信機器であり、通信ネットワーク６０を介して管理サーバ装置２０と接続している。通信端末装置３０としては、スマートフォンやタブレット端末等の汎用機器を想定する。
【００４１】
通信端末装置３０は、図３に示すように、通信端末装置３０の各部の動作を制御する制御部３１、各種情報を記憶する記憶部３２、各種情報を表示し各種操作を受け付ける表示操作部３３、及び通信ネットワーク６０を介して通信を行う通信部３４を備えている。
【００４２】
通信端末装置３０では、通信部３４が管理サーバ装置２０から、空気清浄機１０が設置されたユーザ宅５０での人の動きの有無の判定結果に応じた情報を受信すると、表示操作部３３にてその情報を表示する。併せて音声通知をおこなってもよい。よって、ユーザは、通信端末装置３０にてユーザ宅５０での人の動きの有無を確認することができる。このような情報の表示や音声通知は、アプリケーションにて行うことが可能である。アプリケーションの表示の仕方等に工夫することで、防犯対策の一役を担うことが可能となる。
【００４３】
本実施形態では、通信端末装置３０と空気清浄機１０との間の通信は、管理サーバ装置２０介して行うが、直接行えるようになっていてもよい。
【００４４】
また、空気清浄機１０を通信端末装置３０から遠隔操作できる構成になっていてもよい。空気清浄機１０を通信端末装置３０から遠隔操作するための構成については公知技術を用いることができる。
【００４５】
（判定及び通知）
判定部２４の判定及び通信部３４の通知について、図５を用いて説明する。
【００４６】
まず、空気清浄機１０がセキュリティモードに設定されている場合について説明する。図５に示すように、昼及び夜の時間帯では、センサ部１４のホコリセンサのセンシングしたほこりのレベルが一定レベル以上の場合、又は、ホコリセンサのセンシングしたほこりのレベルが低い状態から高い状態に変化した場合には、判定部２４は人の動きが有ると判断する。そして、通信部２３は、人の動きが有るという判定結果に応じた情報を通信端末装置３０に通知する。センサ部１４のニオイセンサによるセンシング結果から判定を行う場合も同様である。
【００４７】
また、昼及び夜の時間帯では、センサ部１４の照度センサのセンシングした照度のレベルが変化（暗い状態から明るい状態に変化）した場合に、判定部２４は人の動きが有ると判断する。そして、通信部２３は、人の動きが有るという判定結果に応じた情報を通信端末装置３０に通知する。
【００４８】
次に、空気清浄機１０が見守りモードに設定されている場合について説明する。図５に示すように、夜の時間帯では、センサ部１４のホコリセンサのセンシングしたほこりのレベルに長時間変化が無い場合、判定部２４は人の動きが無いと判断する。これは問題が起きている状態ではないと判断し、通信部２３は通知を行わない。センサ部１４のニオイセンサによるセンシング結果から判定を行う場合も同様である。また、センサ部１４の照度センサによるセンシング結果から判定を行う場合も同様である。
【００４９】
反対に昼の時間帯では、センサ部１４のホコリセンサのセンシングしたほこりのレベルに長時間変化が無い場合、又は、見守り対象の起きる時間を過ぎても（時間は操作部１５から設定できるものとする）ホコリセンサのセンシングしたほこりのレベルに変化が無い場合には、判定部２４は人の動きが無いと判断する。そして、通信部２３は、人の動きが無いという判定結果に応じた情報を通信端末装置３０に通知する。センサ部１４のニオイセンサによるセンシング結果情報から判定を行う場合も同様である。
【００５０】
また、昼の時間帯において、センサ部１４の照度センサがセンシングした照度のレベルに変化がない（暗い状態のまま）場合に、判定部２４は人の動きが無いと判断する。そして、通信部２３は、人の動きが無いという判定結果に応じた情報を通信端末装置３０に通知する。
【００５１】
上記では、空気清浄機１０が見守りモードに設定されている場合、人の動きが有ることを示す情報の通知を行わないものとしている。これは、人の動きが有る場合には通知を行わないことで、人の動きが無い場合にのみの通知となり、たくさんの情報を通知する必要がなくなり、通信端末装置３０では人の動きが無い（見守り対象が倒れているのではないか）場合という緊急事態のみに通知を受けることで、緊急事態であることを強く認識できるからである。しかし、人の動きが有ることを示す情報の通知を行ってもよい。通知を行うことで通信端末装置３０にて見守り対象の無事を確認できるからである。
【００５２】
なお、空気清浄機１０がセキュリティモードに設定されている場合の方が、見守りモードに設定されている場合よりも、シビアに判定を行うようになっているのが好ましい。
【００５３】
（通知後の処理）
通知システム１００では、判定部２４が人の動きの有無の判定結果に応じた情報を通信端末装置３０に送信後、当該通信端末装置３０から指示に応じて、空気清浄機１０の音声出力部１９から所定音声を出力する。また、通信端末装置３０からの指示ではなく、管理サーバ装置２０が、判定部２４による判定結果に応じて、音声出力部１９から所定音声を出力するよう空気清浄機１０に指示する構成であってもよい。
【００５４】
音声出力部１９から出力される所定音声は、見守りモードに設定されている場合には、例えば「大丈夫？」といったように、見守り対象への問いかけを行う音声であると好ましい。また、セキュリティモードに設定されている場合には、例えば「誰かいるのか？」といった威嚇する音声であると好ましい。さらに、空気清浄機１０にランプ等が設けられており、点滅を早くして警告するようになっていてもよい。
【００５５】
このように所定音声を出力することにより、見守り又はセキュリティ管理の効果を上げることができる。
【００５６】
さらに、通知システム１００では、空気清浄機１０は、操作部１５にて上記所定音声に対する応答を受け付け、この受け付けた応答を管理サーバ装置２０に送信し、管理サーバ装置２０は、通信部２３から上記受け付けた応答に応じた情報を通信端末装置３０に通知する。上記応答とは、操作部１５への所定操作である。例えば、操作部１５に特定のボタンが設けられており、そのボタンが押し下されることで、応答を受け付ける。あるいは、操作部１５に音声入力部が設けられており、音声による応答を受け付けてもよい。この場合、管理サーバ装置２０にて音声認識を行う。
【００５７】
また、見守り対象が通信端末装置を有しており、当該通信端末装置も空気清浄機１０に紐づいて管理されている場合には、当該通信端末装置から応答できるようになっていてもよい。
【００５８】
空気清浄機１０が見守りモードに設定されている場合、通信端末装置３０にて応答に応じた情報が通知されると、通信端末装置３０のユーザはこれを確認することで、通信端末装置３０のユーザは、見守り対象の無事を確認できる。
【００５９】
また、空気清浄機１０がセキュリティモードに設定されている場合、通信端末装置３０にて応答に応じた情報として、例えば、正しくない操作が有った（例えば、正しくないボタンが押された）ことを示す情報、あるいは、所定時間内に応答を受け付けなかったとい情報を通知されると、通信端末装置３０のユーザはこれを確認して、ユーザ宅５０不審者の侵入があるかもしれないと判断して、例えばセキュリティ会社へ連絡することができる。
【００６０】
（具体例）
空気清浄機１０と管理サーバ装置２０とを含む通知システム１００を用いた具体例として、ユーザ宅５０に４人（ユーザａ〜ｄ）で暮らしており、ユーザａ〜ｄはそれぞれ通信端末装置３０ａ〜３０ｄを有しており、通信端末装置３０ａが空気清浄機１０に紐付いているケースについて説明を行う。
【００６１】
空気清浄機１０がセキュリティモードに設定されており、ユーザａが外出した後に、ユーザａは残りの３人（ユーザｂ〜ｄ）がユーザ宅５０に居るか不明であるとする。この場合において、通信端末装置３０ａが管理サーバ装置２０から人の動きが有るという情報の通知を受けると、ユーザａは、通信端末装置３０ａから、残り３人の通信端末装置３０ｂ〜３０ｄ及び空気清浄機１０に対して確認のための確認情報を発信し、返信を促す。
【００６２】
確認情報を受信した通信端末装置３０ｂ〜３０ｄのユーザｂ〜ｄは、在宅か否かを通信端末装置３０ａに返信する。一方、確認情報を受信した空気清浄機１０は、音声出力部１９から「Ａボタンを押して下さい」と音声出力する。ここで、Ａボタンは操作部１５に設けられたボタンであるとする。Ａボタンが押された場合は、空気清浄機１０から通信端末装置３０ａにその情報を、管理サーバ装置２０を介して通知することで、ユーザ宅５０に在宅者がいることを通信端末装置３０ａにて確認することが可能となる。また、Ａボタンが押されなかった場合は、空気清浄機１０から通信端末装置３０ａにその情報を、管理サーバ装置２０を介して通知することで、ユーザ宅５０に不審者がいることを通信端末装置３０ａにて確認することが可能となる。
【００６３】
なお、Ａボタンとして、ユーザａ〜ｄしか分からない（押し順）キーに予め設定しておくことで、不審者が上記音声を聞いても対応できなくすることができる。この様に構成されていると防犯上より好ましい。勿論、ペット等がいる場合等の状況は想定しておく必要がある。
【００６４】
上記では、通信端末装置３０ａのみが空気清浄機１０に紐付いているケースについて説明したが、通信端末装置３０ａ〜３０ｄの全が空気清浄機１０に紐付いているケースの場合には、次のような処理となる。この場合、紐付けされている全ての通信端末装置３０ａ〜３０ｄが、人の動きが有るという情報（センサ反応情報）を受信する。そして、通信端末装置３０ａ〜３０ｄのうち最初に確認情報を管理サーバ装置２０に送信した通信端末装置が主端末装置となり、他の通信端末装置からの返信を待つ。この状態では、他の端末装置は、確認情報の送信はできず、受信した確認情報への返信と空気清浄機１０の状態の確認（モニタ）のみが可能となるように構成する。このような構成であると、空気清浄機１０が受信する確認情報は１つのみであり、音声出力も１回となる。
【００６５】
また、所定期間内にＡボタンが押されない場合や間違ったボタンが押された場合、空気清浄機１０は、音声出力部１９から威嚇の所定音声を出力してもよい。さらに、ランプを点滅させたり、威嚇の所定音声が止まなかったり、録画や録音が始まったりするように空気清浄機１０が構成されていると、よりセキュリティを強化できる。
【００６６】
（通知システムによる効果）
以上の様に、通知システム１００では、判定部２４が、センサ部１４によるセンシング結果から人の動きの有無を判定する。センサ部１４は空気清浄動作を制御するために周囲の環境をセンシングするものであるため、空気清浄機１０に元から備えられている。また、センサ部１４によるセンシング結果は、人の動きにより変化するものであるが、ユーザが空気清浄機１０に対して行う操作とは関係のないものである。つまり、空気清浄機１０のセンサ部１４により間接的に人の動きをセンシングできる。また、通知システム１００によると、人の動きの有無の判定結果に応じた情報を、通信端末装置３０に通知するため、通信端末装置３０のユーザは通信端末装置３０にて、直ちにその情報を知ることができる。
【００６７】
通知システム１００を、見守りに用いる場合には、空気清浄機１０を見守りモードに設定し、見守り対象である人の動きの無いという情報が通知されると、外部装置にて異常事態の発生を把握できる。通知システムをセキュリティ管理（防犯）に用いる場合には、人の動きが有るという情報が通知されると、外部装置にて異常事態の発生を把握できる。
【００６８】
ここで、人が動いているとニオイが発生したりホコリが舞ったり、また、人が動いているとカーテンを開けたり照明を点灯したりして部屋を明るくする、ことが多い。つまり、ニオイセンサ、ホコリセンサ、及び照度センサによるセンシング結果は、人の動きに密接に関連するものである。よって、通知システム１００によると、人の動きの有無を精度よく判定することができる。
【００６９】
また、通知システム１００では、空気清浄機１０が見守りモードとセキュリティモードを有しているため、通知システム１００にて、人物の見守りと、人物がいない場合のセキュリティ管理とを実行することができる。
【００７０】
また、通知システム１００では、空気清浄機１０が、判定部２４による人の動きの有無の判定結果に応じて、あるいは、通信端末装置３０からの指示に応じて、所定音声を出力するため、見守り又はセキュリティ管理の効果を上げることができる。
【００７１】
また、通知システム１００では、所定音声に対する応答に応じた情報を通信端末装置３０装置に通知できるため、通信端末装置３０にて応答に応じた情報を確認することができる。応答は、例えば、空気清浄機１０の操作部１５の操作であっても、音声応答であってもよい。通知システム１００を見守りに用いる場合には、簡単に応答できるよう構成されていると、使用勝手がよい。また、通知システム１００をセキュリティ管理に用いる場合には複雑な応答をしなければ、所定音声が止まなかったり、録画や録音が始まったりするよう通知システム１００が構成されていると、よりセキュリティを強化できる。
【００７２】
上記では、ホコリセンサ、ニオイセンサ、及び照度センサによるセンシング結果を用いた判定及び通知について説明した。しかし、例えば、空気清浄機１０が見守りモードに設定されており、空気清浄機１０の操作部１５が長らく操作されていない場合、人の動きが無いと判定して通知を行ってもよい。あるいは、空気清浄機１０がセキュリティモードに設定されており、空気清浄機１０の操作部１５が操作された場合、人の動きが有ると判定して通知を行ってもよい。また、見守りモードに設定されている際に、空気清浄機１０の水タンクの１７の貯水量に変化が無かったり、図示しない表示部にてフィルタ１８の交換を促す通知（表示）がなされているにもかかわらず交換されていなかったりする場合に、人の動きが無いと判定して通知を行ってもよい。また、温度センサや湿度センサがセンシングした値が、人間が生活するレベルとして異常な値になっている場合に、通知を行ってもよい。
【００７３】
また、上記では、センサ部１４が有するセンサ毎にセンシング結果による人の動きの有無の判定を行っているが、複数のセンサのそれぞれによるセンシング結果を組み合わせて人の動きの有無の判定を行ってもよい。組み合わせて判定を行うことで、精度のよい判定を行うことができる。
【００７４】
〔実施の形態２〕
本発明の他の実施形態を、図４を参照して以下に説明する。なお説明の便宜上、実施の形態１にて説明した部材と同じ機能を有する部材については、同じ符号を付記し、その説明を省略する。
【００７５】
本実施の形態の空気清浄機１０Ａは、空気清浄機１０Ａのみで空気清浄機１０Ａが設置された空間の人の動きの有無に応じた情報を外部装置へ通知を行う通知システム１００Ａが構築される構成である。
【００７６】
よって、空気清浄機１０Ａは、図４に示すように、実施の形態１では管理サーバ装置２０が備えていた判定部２４を備えている。また、空気清浄機１０Ａの通信部（通知部）１６は、判定部２４による判定結果に応じた情報を通信端末装置３０に通知する。このように、本実施の形態では、空気清浄機１０Ａから人の動きの有無に応じた情報を通信端末装置３０へ通知することができる。よって、管理サーバ装置２０がダウンしている場合でも、通知を行うことができる。
【００７７】
また、空気清浄機１０が判定を行って、通信端末装置３０への通知は、管理サーバ装置２０から行う構成であってもよい。また、空気清浄機１０Ａからの通知を、セキュリティ会社のサーバ装置７０に対して行ってもよい。
【００７８】
〔実施の形態３〕
本発明のさらに別の実施形態を、以下に説明する。なお説明の便宜上、実施の形態１又は２にて説明した部材と同じ機能を有する部材については、同じ符号を付記し、その説明を省略する。
【００７９】
本実施の形態は、実施の形態１の通知システム１００又は実施の形態２の通知システム１００Ａにおいて、判定部２４が、判定の基準を時間帯に応じて変更する構成である。
【００８０】
例えば、夜中は就寝する、また、朝のある時間帯、昼のある時間帯、夜のある時間帯には食事をする、というように、人の動きは時間帯に応じて変化することが多い。よって、判定部２４が、人の動きの有無の判定基準を時間帯に応じて変更することで、判定の精度を上げることができる。
【００８１】
例えば、空気清浄機１０がセキュリティモードに設定されている場合、判定基準を昼と夜とで人の動きの有無の判定基準を変更することを考える。図５に示すように、夜はユーザが就寝中であると想定され、つまり、ユーザ宅５０にユーザが居ると想定されるため、若干の人の動きは有ると考えられる。これをセンシングされて通知されては、ユーザの迷惑となる。一方、昼は、ユーザが留守中であると想定され、セキュリティを強める必要がある。これらを鑑み、各センサの、夜の検知レベル（判定基準）を昼の検知レベルよりも高く設定し、これに基づき判定部２４は人の動きの有無を判定する。
【００８２】
また、空気清浄機１０が見守りモードに設定されている場合、食事の時間帯とそれ以外の時間帯とで人の動きの有無の判定基準を変更することを考える。つまり、食事の時間帯にはニオイが増えると考えられるので、食事の時間帯のニオイセンサの検知レベルを高く設定してもよい。どのようなセンサでも、検知レベル高く設定すると少々の変化では検知しなくなる。つまりは、検知したと判断する基準（閾値）が高くなるので、センサとしては検知しにくくなる。
【００８３】
時間帯に応じた判定基準の変更、具体的には、各センサの検知レベルの設定は、ユーザが空気清浄機１０からあるいは通信端末装置３０から行えるように構成されていればよい。
【００８４】
〔実施の形態４〕
実施の形態１〜３にて説明した通知システム１００，１００Ａ、空気清浄機１０，１０Ａ、又は管理サーバ装置２０は、それぞれ、集積回路（ＩＣチップ）等に形成された論理回路（ハードウェア）によって実現してもよいし、ＣＰＵ（Central Processing Unit）を用いてソフトウェアによって実現してもよい。
【００８５】
後者の場合、通知システム１００，１００Ａ空気清浄機１０，１０Ａ又は管理サーバ装置２０は、それぞれ、各機能を実現するソフトウェアであるプログラムの命令を実行するＣＰＵ、上記プログラム及び各種データがコンピュータ（又はＣＰＵ）で読み取り可能に記録されたＲＯＭ（Read Only Memory）又は記憶装置（これらを「記録媒体」と称する）、上記プログラムを展開するＲＡＭ（Random Access Memory）等を備えている。そして、コンピュータ（又はＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路等を用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００８６】
本発明は上述した各実施形態に限定されるものではなく、種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【００８７】
〔まとめ〕
本発明の態様１に係る通知システムは、空気清浄動作を制御するために自機が設置された空間の環境をセンシングするセンサ部を有する空気清浄機と、前記センサ部がセンシングした結果から上記空間内の人の動きの有無を判定する判定部と、前記判定部による判定結果に応じた情報を外部装置に通知する通知部と、を備えている。
【００８８】
上記構成によると、空気清浄機が設置された空間内の環境をセンシングするセンサ部がセンシングした結果から人の動きの有無を判定する。センサ部は、空気清浄動作を制御するために周囲の環境をセンシングするものであるため、空気清浄機に元から備えられている。また、センサ部によるセンシング結果は、人の動きにより変化するものであるが、ユーザが空気清浄機に対して行う操作とは関係のないものである。つまり、空気清浄機のセンサ部により間接的に人の動きをセンシングできる。
【００８９】
また、上記構成によると、人の動きの有無の判定結果に応じた情報を外部装置に通知するため、外部装置のユーザは直ちにその情報を確認することができる。
【００９０】
通知システムを、見守りに用いる場合には、見守り対象である人の動きの無いという情報が通知されると、外部装置にて異常事態の発生を把握できる。通知システムをセキュリティ管理（防犯）に用いる場合には、人の動きが有るという情報が通知されると、外部装置にて異常事態の発生を把握できる。ここで、外部装置は、ユーザのスマートフォンやタブレットと言った通信端末装置であってもよいし、ユーザが契約しているセキュリティ会社のサーバ装置であってもよい。
【００９１】
以上の様に、上記構成によると、ユーザを煩わせることなく、低コストにて、見守り又はセキュリティ管理を行うことができる。
【００９２】
また、本発明の態様２に係る通知システムは、上記態様１に係る通知システムにおいて、前記判定部及び前記通知部を備えたサーバ装置と、前記空気清浄機と、が通信ネットワークを介して接続していてもよい。
【００９３】
上記構成によると、判定部及び通知部がサーバ装置に備えられていることで、空気清浄機に負荷をかけることがない。また、複数の空気清浄機をサーバ装置に接続させることができるため、コストを下げて通知システムを構築することができる。
【００９４】
また、本発明の態様３に係る通知システムでは、上記態様１に係る通知システムにおいて、前記判定部及び前記通知部は、前記空気清浄機に備えられていてもよい。
【００９５】
上記構成によると、空気清浄機単独で人の動きの有無の判定結果に応じた情報の通知を行うことができる。
【００９６】
また、本発明の態様４に係る通知システムでは、上記態様１から３のいずれか１つに係る通知システムにおいて、前記センサ部は、少なくとも、ニオイセンサ、ホコリセンサ、及び照度センサのいずれか１つを含んでもよい。
【００９７】
上記構成によると、少なくとも、ニオイセンサ、ホコリセンサ、及び照度センサのいずれか１つによるセンシング結果から人の動きの有無を判定する。ここで、人が動いているとニオイが発生したりホコリが舞ったり、また、人が動いているとカーテンを開けたり照明を点灯したりして部屋を明るくする、ことが多い。つまり、ニオイセンサ、ホコリセンサ、及び照度センサがセンシングする環境は、人の動きに密接に関連するものである。よって、上記構成によると、人の動きの有無を精度よく判定することができる。なお、ニオイセンサは、ニオイだけでなくガスをセンシングしてもよい。また、ホコリセンサは、ホコリだけでなく、花粉やＰＭ２．５等の微粒子をセンシングしてもよい。
【００９８】
また、センサ部は複数のセンサを有しており、判定部は、空気清浄機に設けられた複数のセンサのそれぞれがセンシングした結果を組み合わせて人の動きの有無の判定を行ってもよい。
【００９９】
また、本発明の態様５に係る通知システムでは、上記態様１から４のいずれか１つに係る通知システムにおいて、前記空気清浄機は、第１モードと第２モードとを有し、前記空気清浄機が前記第１モードに設定されていると、前記通知部は、前記判定部が人の動きが無いと判定した場合に、前記通知を行い、前記空気清浄機が前記第２モードに設定されていると、前記通知部は、前記判定部が人の動きが有ると判定した場合に、前記通知を行ってもよい。
【０１００】
上記構成によると、第１モードを、空気清浄機が設置された空間内の見守り対象の人の見守りを実行するモードとすることができる。また、第２モードを、空気清浄機が設置された空間内に人がいない場合のセキュリティ管理を実行するモードとすることができる。
【０１０１】
また、本発明の態様６に係る通知システムでは、上記態様１から５のいずれか１つに係る通知システムにおいて、前記判定部は、前記判定の基準を時間帯に応じて変更してもよい。
【０１０２】
例えば、夜中は就寝する、また、朝のある時間帯、昼のある時間帯、夜のある時間帯には食事をするというように、人の動きは時間帯に応じて変化することが多い。よって、上記構成によると、人の動きの有無の判定基準を時間帯に応じて変更することで、判定の精度を上げることができる。
【０１０３】
また、本発明の態様７に係る通知システムでは、上記態様１から６のいずれか１つに係る通知システムにおいて、前記空気清浄機は、前記判定部による判定結果に応じて、あるいは、前記通知後の前記外部装置からの指示に応じて、所定音声を出力する音声出力部を備えていてもよい。
【０１０４】
上記構成によると、空気清浄機から、人の動きの有無の判定結果に応じて、あるいは、外部装置からの指示に応じて、所定音声が出力される。通知システムを見守りに用いる場合には、所定音声は、例えば、見守り対象への問いかけを行う音声、通知システムをセキュリティ管理に用いる場合には、所定音声は、例えば、威嚇する音声等であると好ましい。よって、上記構成によると、見守り又はセキュリティ管理の効果を上げることができる。
【０１０５】
本発明の態様８に係る通知システムは、上記態様７に係る通知システムにおいて、前記空気清浄機は、前記所定音声に対する応答を受け付ける応答受付部を備え、前記通知部は、前記応答受付部が受け付けた前記応答に応じた情報を前記外部装置に通知してもよい。
【０１０６】
上記構成によると、所定音声に対する応答に応じた情報を外部装置に通知できる。よって、外部装置のユーザは外部装置にて応答に応じた情報を確認することができる。所定音声に対する応答としては、例えば、空気清浄機に設けられたボタンの操作であっても、音声応答であってもよい。通知システムを見守りに用いる場合には、簡単に応答できるよう構成されていると、使用勝手がよい。また、セキュリティ管理に用いる場合には複雑な応答をしなければ、所定音声が止まなかったり、録画や録音が始まったりするよう通知システムが構成されていると、よりセキュリティを強化できる。
【０１０７】
本発明の態様９に係る空気清浄機は、上記態様１から８のいずれか１つに記載の通知システムに備えられたことを特徴とする。
【０１０８】
上記構成によると、ユーザを煩わせることなく、低コストにて、見守り又はセキュリティ管理を行うことができる通知システムを構築することができる。
【０１０９】
また、態様１０に係る通知方法は、空気清浄動作を制御するために自機が設置された空間の環境をセンシングするセンサ部を有する空気清浄機を備えた通知システムでの通知方法において、前記センサ部がセンシングした結果から人の動きの有無を判定する判定ステップと、前記判定ステップでの判定結果に応じた情報を外部装置に通知する通知ステップと、を含む。
【０１１０】
上記方法によると、上記通知システムと同様に、ユーザを煩わせることなく、低コストにて、見守り又はセキュリティ管理を行うことができる。
【０１１１】
また、本発明の各態様に係る通知システム又は空気清浄機は、コンピュータによって実現してもよく、この場合には、コンピュータを通知システム又は空気清浄機が備える各部として動作させることにより通知システム又は空気清浄機をコンピュータにて実現させるプログラム、及びそれを記録したコンピュータ読み取り可能な記録媒体も本発明の範疇に入る。
【産業上の利用可能性】
【０１１２】
本発明は、通信機能を有する空気清浄機を備えたシステムに利用可能である。
【符号の説明】
【０１１３】
１０，１０Ａ    空気清浄機
１１    制御部
１４    センサ部
１５    操作部（応答受付部）
１６    通信部（通知部）
１９    音声出力部
２０    管理サーバ装置（管理装置）
２１    制御部
２４    判定部
２３    通信部（通知部）
３０，３０ａ〜３０ｄ    通信端末装置（外部装置）
６０    通信ネットワーク
７０    セキュリティ会社のサーバ装置（外部装置）
１００，１００Ａ    通知システム
【図１】
0006461710.tif 000002
【図２】
0006461710.tif 000003
【図３】
0006461710.tif 000004
【図４】
0006461710.tif 000005
【図５】
0006461710.tif 000006